(57)【要約】  本発明は、薬剤師が薬剤検査作業を効率的に行うことができる薬剤検査支援装置及び薬剤検査支援方法を提供することを目的とする。本発明の一の態様に係る薬剤検査支援装置は、処方箋に記載された薬剤についての基準画像と、分包袋に分包された薬剤の撮影画像に基づく照合対象画像と、を照合して、照合対象画像が示す薬剤と基準画像が示す薬剤とが同一の薬剤であるか否か判断する薬剤照合部と、分包袋に分包される薬剤について、処方箋に従って調剤されるべき薬剤についての基準画像と、照合対象画像のうち基準画像が示す薬剤と同一の薬剤を示すと判断された全ての画像と、を含む一覧表を薬種ごとに作成する一覧表作成部と、処方箋に記載された薬剤の薬種のうち単一の薬種の薬剤についての一覧表を表示装置の表示画面に表示させる表示制御部と、を備える。
2018221065.tif 000002
【特許請求の範囲】
【請求項１】
処方箋に従って調剤され、分包袋に分包される薬剤を検査する薬剤検査支援装置であって、
前記処方箋に記載された薬剤についての基準画像と、前記分包袋に分包された薬剤の撮影画像に基づく照合対象画像と、を照合して、前記照合対象画像が示す薬剤と前記基準画像が示す薬剤とが同一の薬剤であるか否か判断する薬剤照合部と、
前記分包袋に分包される薬剤について、前記処方箋に従って調剤されるべき薬剤についての前記基準画像と、前記照合対象画像のうち前記基準画像が示す薬剤と同一の薬剤を示すと判断された全ての画像と、を含む一覧表を薬種ごとに作成する一覧表作成部と、
前記処方箋に記載された前記薬剤の薬種のうち単一の薬種の薬剤についての前記一覧表を表示装置の表示画面に表示させる表示制御部と、
を備える薬剤検査支援装置。
【請求項２】
前記表示制御部は、前記単一の薬種の薬剤と類似する類似薬剤についての前記一覧表を前記表示画面に表示させる請求項１に記載の薬剤検査支援装置。
【請求項３】
薬剤どうしの類似度を算出する類似度算出部をさらに備え、
前記表示制御部は、前記単一の薬種の薬剤との間で算出した前記類似度がしきい値以上である薬剤を前記類似薬剤と判断して前記類似薬剤についての前記一覧表を表示させる請求項２に記載の薬剤検査支援装置。
【請求項４】
前記表示制御部は、指定された薬種についての表示指示に応じて、前記指定された薬種の薬剤及び前記類似薬剤についての前記一覧表を前記表示画面に表示させる請求項２または３に記載の薬剤検査支援装置。
【請求項５】
前記一覧表作成部は前記照合対象画像の検査支援情報を含む前記一覧表を作成し、前記表示制御部は前記検査支援情報を含む前記一覧表を前記表示画面に表示させる請求項１から４のいずれか１項に記載の薬剤検査支援装置。
【請求項６】
前記一覧表作成部は、前記一覧表に含まれる前記照合対象画像の数に応じて前記一覧表に含める前記検査支援情報の量を変化させる請求項５に記載の薬剤検査支援装置。
【請求項７】
前記表示制御部は、前記表示画面に表示された前記照合対象画像のうち指定された画像についての前記検査支援情報を表示させる請求項５または６に記載の薬剤検査支援装置。
【請求項８】
前記基準画像は前記処方箋に従って調剤されるべき薬剤を複数の方向から撮影して取得した複数の画像を含み、
前記一覧表作成部は前記複数の画像を含む前記一覧表を作成する請求項１から７のいずれか１項に記載の薬剤検査支援装置。
【請求項９】
前記分包された薬剤を複数の方向から撮影して複数の前記撮影画像を取得する撮像部を備え、
前記一覧表作成部は、前記複数の前記撮影画像にそれぞれ対応した複数の前記照合対象画像を含む前記一覧表を作成する請求項１から８のいずれか１項に記載の薬剤検査支援装置。
【請求項１０】
前記一覧表作成部は、前記照合対象画像を拡大または縮小することにより前記基準画像と前記照合対象画像との大きさを揃えて前記一覧表を作成する請求項１から９のいずれか１項に記載の薬剤検査支援装置。
【請求項１１】
前記一覧表作成部は、前記照合対象画像を回転させることにより前記基準画像と前記照合対象画像の方向を揃えて前記一覧表を作成する請求項１から１０のいずれか１項に記載の薬剤検査支援装置。
【請求項１２】
前記基準画像は、前記調剤されうる薬剤についてあらかじめ記憶されたマスタ画像または前記マスタ画像に画像処理を施した処理済みマスタ画像である請求項１から１１のいずれか１項に記載の薬剤検査支援装置。
【請求項１３】
前記照合対象画像は、前記撮影画像または前記撮影画像に画像処理を施した処理済み撮影画像である請求項１から１２のいずれか１項に記載の薬剤検査支援装置。
【請求項１４】
前記画像処理は前記撮影画像から薬剤領域を抽出する画像処理である請求項１３に記載の薬剤検査支援装置。
【請求項１５】
ユーザによる薬剤の選択を受け付ける薬剤選択部を備え、
前記表示制御部は前記選択を受け付けた薬剤について前記一覧表を表示させる請求項１から１４のいずれか１項に記載の薬剤検査支援装置。
【請求項１６】
前記表示制御部は、前記一覧表を前記表示装置の単一の表示画面に表示させる請求項１から１５のいずれか１項に記載の薬剤検査支援装置。
【請求項１７】
薬剤検査支援装置が、処方箋に従って調剤され分包袋に分包される薬剤を検査する薬剤検査支援方法であって、
前記薬剤検査支援装置が、前記処方箋に記載された薬剤についての基準画像と、前記分包袋に分包された薬剤の撮影画像に基づく照合対象画像と、を照合して、前記照合対象画像が示す薬剤と前記基準画像が示す薬剤とが同一の薬剤であるか否か判断する薬剤照合工程と、
前記薬剤検査支援装置が、前記分包袋に分包される薬剤について、前記処方箋に従って調剤されるべき薬剤についての前記基準画像と、前記照合対象画像のうち前記基準画像が示す薬剤と同一の薬剤を示すと判断された全ての画像と、を含む一覧表を薬種ごとに作成する一覧表作成工程と、
前記薬剤検査支援装置が、前記処方箋に記載された前記薬剤の薬種のうち単一の薬種の薬剤についての前記一覧表を表示装置の表示画面に表示させる表示制御工程と、
を有する薬剤検査支援方法。
【請求項１８】
前記薬剤検査支援装置は、前記表示制御工程において前記単一の薬種の薬剤と類似する類似薬剤についての前記一覧表を前記表示画面に表示させる請求項１７に記載の薬剤検査支援方法。
【請求項１９】
前記薬剤検査支援装置が薬剤どうしの類似度を算出する類似度算出工程をさらに有し、
前記薬剤検査支援装置は、前記単一の薬種の薬剤との間で算出した前記類似度がしきい値以上である薬剤を前記類似薬剤と判断して前記類似薬剤についての前記一覧表を表示させる請求項１８に記載の薬剤検査支援方法。
【請求項２０】
前記表示制御工程では、指定された薬種についての表示指示に応じて、前記指定された薬種の薬剤及び前記類似薬剤についての前記一覧表を前記表示画面に表示させる請求項１８または１９に記載の薬剤検査支援方法。
【請求項２１】
前記表示制御工程では、前記一覧表を前記表示装置の単一の表示画面に表示させる請求項１７から２０のいずれか１項に記載の薬剤検査支援方法。
【発明の詳細な説明】
【技術分野】
【０００１】
本発明は薬剤検査支援装置及び薬剤検査支援方法に係り、特に分包袋に分包された薬剤が処方箋通りの薬剤であるか否かの検査を支援する薬剤検査支援装置及び薬剤検査支援方法に関する。
【背景技術】
【０００２】
医療現場では、医師が作成した処方箋を患者が調剤薬局に持参し、調剤薬局において処方箋に従って薬剤を調剤することが一般的であり、調剤の際には、処方される薬剤を一回に服用する分ごとに分包する、いわゆる「一包化」が行われている。薬剤をこのように分包（一包化）することで、薬剤の服用忘れを防止する、薬剤の取り出しを容易にする、あるいは薬剤の服用管理を容易にする、といった効果が期待される。【０００３】
一方、薬剤師は調剤あるいは薬剤の提供を行う場合、処方箋の記載事項、患者情報等に基づいて処方内容を確認することが求められており、分包された薬剤の監査においては一回の服用ごとの用法を確認することになるため、薬剤師の監査負担が大きくなる。そこで、薬剤師の監査負担を軽減するため、薬剤の種類、数量等について処方箋に記載された内容と分包された薬剤の内容とを照合するための監査支援方法及び監査支援装置が開発されている。例えば特許文献１では、薬剤マスタ画像と撮影画像とを照合して撮影画像中の薬剤がどの薬剤であるか判別し、薬剤マスタ画像と、撮影画像における各薬剤と判別された薬剤領域画像とを位置を揃えて表示する一覧表を作成することが記載されている。特許文献１によれば、この一覧表により撮影画像とマスタ画像との照合を容易にして薬剤師の目視監査作業を効率化できる。
【先行技術文献】
【特許文献】
【０００４】
【特許文献１】特開２０１４−０６７３４２号公報
【発明の概要】
【発明が解決しようとする課題】
【０００５】
上述の特許文献１ではマスタ画像及び撮影画像を含む一覧表を作成するが、処方箋に記載された全ての薬種についての撮影画像を表示しているため、上下及び／または左右方向に異なる薬剤の画像が近接して表示され、他の薬剤についての照合結果なのか照合エラーが起きているのかが分かりにくく、監査に時間と手間を要していた。【０００６】
本発明はこのような事情に鑑みてなされたもので、薬剤師が薬剤検査作業を効率的に行うことができる薬剤検査支援装置及び薬剤検査支援方法を提供することを目的とする。
【課題を解決するための手段】
【０００７】
上述した目的を達成するため、本発明の第１の態様に係る薬剤検査支援装置は、処方箋に従って調剤され、分包袋に分包される薬剤を検査する薬剤検査支援装置であって、処方箋に記載された薬剤についての基準画像と、分包袋に分包された薬剤の撮影画像に基づく照合対象画像と、を照合して、照合対象画像が示す薬剤と基準画像が示す薬剤とが同一の薬剤であるか否か判断する薬剤照合部と、分包袋に分包される薬剤について、処方箋に従って調剤されるべき薬剤についての基準画像と、照合対象画像のうち基準画像が示す薬剤と同一の薬剤を示すと判断された全ての画像と、を含む一覧表を薬種ごとに作成する一覧表作成部と、処方箋に記載された薬剤のうち単一の薬種の薬剤についての一覧表を表示装置の表示画面に表示させる表示制御部と、を備える。【０００８】
第１の態様によれば、一覧表が薬種ごとに作成されて、処方箋に記載された薬剤のうち単一の薬種の薬剤についての一覧表が表示装置の表示画面に表示されるので、誤って照合された薬剤を見つけやすく、薬剤師（ユーザ）が薬剤検査を効率的に行うことができる。【０００９】
第２の態様に係る薬剤検査支援装置は第１の態様において、表示制御部は、単一の薬種の薬剤と類似する類似薬剤についての一覧表を表示画面に表示させる。第２の態様では、類似薬剤についての一覧表をも表示画面に表示するので、誤って判別され類似薬剤間で画像が入れ替わってしまった場合でも、薬剤師は照合の間違いに容易に気づくことができる。【００１０】
第３の態様に係る薬剤検査支援装置は第２の態様において、薬剤どうしの類似度を算出する類似度算出部をさらに備え、表示制御部は、単一の薬種の薬剤との間で算出した類似度がしきい値以上である薬剤を類似薬剤と判断して類似薬剤についての一覧表を表示させる。第３の態様は、類似薬剤を判断する具体的な手法の一例を規定するものである。【００１１】
第４の態様に係る薬剤検査支援装置は第２または第３の態様において、表示制御部は、指定された薬種についての表示指示に応じて、指定された薬種の薬剤及び類似薬剤についての一覧表を表示画面に表示させる。第４の態様では、所望の薬種について類似薬剤を含む一覧表を表示画面に表示するので、薬剤師は効率的に検査を行うことができる。【００１２】
第５の態様に係る薬剤検査支援装置は第１から第４の態様のいずれか１つにおいて、一覧表作成部は照合対象画像の検査支援情報を含む一覧表を作成し、表示制御部は検査支援情報を含む一覧表を表示画面に表示させる。第５の態様では検査支援情報を含む一覧表が表示画面に表示されるので、薬剤師はいっそう効率的に検査を行うことができる。なお第５の態様において検査支援情報とは薬剤の照合、検査を効率的に行うための情報であり、一覧表に含まれる照合対象画像が示す薬剤の服用日（何日目の分包袋であるか）、服用タイミング、分包袋番号等を含めることができる。【００１３】
第６の態様に係る薬剤検査支援装置は第５の態様において、一覧表作成部は、一覧表に含まれる照合対象画像の数に応じて一覧表に含める検査支援情報の量を変化させる。検査支援情報の量を固定するのではなく、第６の態様のように照合対象画像の数に応じて一覧表に含める検査支援情報の量を変化させる（例えば、照合対象画像の数が多くなると検査支援情報の量を減らす）ことで、薬剤の数が多い場合でも一覧表（薬剤の画像）が見やすくなり、薬剤師は効率的に検査を行うことができる。【００１４】
第７の態様に係る薬剤検査支援装置は第５または第６の態様において、表示制御部は、表示画面に表示された照合対象画像のうち指定された画像についての検査支援情報を表示させる。照合対象画像の数（薬剤の数）が多く表示される検査支援情報が少ない場合でも、第７の態様のように指定された画像について検査支援情報を表示することで、必要な検査支援情報を確認することができ、薬剤師は効率的に検査を行うことができる。なお、第７の態様において表示する検査支援情報は、一覧表と別の画面に表示してもよい。【００１５】
第８の態様に係る薬剤検査支援装置は第１から第７の態様のいずれか１つにおいて、基準画像は処方箋に従って調剤されるべき薬剤を複数の方向から撮影して取得した複数の画像を含み、一覧表作成部は複数の画像を含む一覧表を作成する。【００１６】
第９の態様に係る薬剤検査支援装置は第１から第８の態様のいずれか１つにおいて、分包された薬剤を複数の方向から撮影して複数の撮影画像を取得する撮像部を備え、一覧表作成部は、複数の撮影画像にそれぞれ対応した複数の照合対象画像を含む一覧表を作成する。薬剤は包の中で種々の向き（表向き、裏向き等）をとりうるため、第９の態様のように複数方向から撮影した画像を一覧表に含めることで、照合を確実に行い、薬剤師は効率的に検査を行うことができる。【００１７】
第１０の態様に係る薬剤検査支援装置は第１から第９の態様のいずれか１つにおいて、一覧表作成部は、照合対象画像を拡大または縮小することにより基準画像と照合対象画像との大きさを揃えて一覧表を作成する。第１０の態様のように基準画像と照合対象画像の大きさを揃えることにより、一覧表が見やすくなり薬剤師は効率的に検査を行うことができる。【００１８】
第１１の態様に係る薬剤検査支援装置は第１から第１０の態様のいずれか１つにおいて、一覧表作成部は、照合対象画像を回転させることにより基準画像と照合対象画像の方向を揃えて一覧表を作成する。第１１の態様のように基準画像と照合対象画像の方向を揃えることにより、一覧表が見やすくなり薬剤師は効率的に検査を行うことができる。【００１９】
第１２の態様に係る薬剤検査支援装置は第１から第１１の態様のいずれか１つにおいて、基準画像は、調剤されうる薬剤についてあらかじめ記憶されたマスタ画像またはマスタ画像に画像処理を施した処理済みマスタ画像である。第１２の態様のように必要に応じてマスタ画像に画像処理を施すことにより、薬剤の視認、照合を容易に行うことができる。【００２０】
第１３の態様に係る薬剤検査支援装置は第１から第１２の態様のいずれか１つにおいて、照合対象画像は、撮影画像または撮影画像に画像処理を施した処理済み撮影画像である。第１３の態様のように必要に応じて撮影画像に画像処理を施すことにより、薬剤の視認、照合を容易に行うことができる。【００２１】
第１４の態様に係る薬剤検査支援装置は第１３の態様において、画像処理は撮影画像から薬剤領域を抽出する画像処理である。例えば、撮影画像に複数の薬剤が含まれている場合、あるいは薬剤以外の領域も撮影されている場合に、第１４の態様のように薬剤領域を抽出することにより照合、検査を効率的に行うことができる。【００２２】
第１５の態様に係る薬剤検査支援装置は第１から第１４の態様のいずれか１つにおいて、ユーザによる薬剤の選択を受け付ける薬剤選択部を備え、表示制御部は選択を受け付けた薬剤について一覧表を表示させる。第１５の態様によれば、ユーザ（薬剤師）は所望の薬剤について一覧表を表示させることができる。【００２３】
第１６の態様に係る薬剤検査支援装置は第１から第１５の態様のいずれか１つにおいて、表示制御部は、一覧表を表示装置の単一の表示画面に表示させる。第１６の態様では、一覧表を単一の表示画面に表示させるので、薬包の数が多い場合でも画面のスクロールが不要であり、照合結果の確認が容易である。なお、一覧表は、薬剤の画像を縮小表示する、表示の解像度を表示画面の解像度以下にする等により単一の画面に表示することができる。【００２４】
上述した目的を達成するため、本発明の第１７の態様に係る薬剤検査支援方法は薬剤検査支援装置が、薬剤検査支援装置が、処方箋に従って調剤され分包袋に分包される薬剤を検査する薬剤検査支援方法であって、薬剤検査支援装置が、処方箋に記載された薬剤についての基準画像と、分包袋に分包された薬剤の撮影画像に基づく照合対象画像と、を照合して、照合対象画像が示す薬剤と基準画像が示す薬剤とが同一の薬剤であるか否か判断する薬剤照合工程と、薬剤検査支援装置が、分包袋に分包される薬剤について、処方箋に従って調剤されるべき薬剤についての基準画像と、照合対象画像のうち基準画像が示す薬剤と同一の薬剤を示すと判断された全ての画像と、を含む一覧表を薬種ごとに作成する一覧表作成工程と、薬剤検査支援装置が、処方箋に記載された薬剤のうち単一の薬種の薬剤についての一覧表を表示装置の表示画面に表示させる表示制御工程と、を有する。第１７の態様によれば、第１の態様と同様に、薬剤検査作業を効率的に行うことができる。【００２５】
第１８の態様に係る薬剤検査支援方法は第１７の態様において、薬剤検査支援装置は、表示制御工程において単一の薬種の薬剤と類似する類似薬剤についての一覧表を表示画面に表示させる。第１８の態様によれば、第２の態様と同様に、誤って判別され類似薬剤の画像が入れ替わってしまった場合でも薬剤師は照合の間違いに容易に気づくことができる。【００２６】
第１９の態様に係る薬剤検査支援方法は第１８の態様において、薬剤検査支援装置が薬剤どうしの類似度を算出する類似度算出工程をさらに有し、薬剤検査支援装置は、単一の薬種の薬剤との間で算出した類似度がしきい値以上である薬剤を類似薬剤と判断して類似薬剤についての一覧表を表示させる。第１９の態様は、第３の態様と同様に類似薬剤を判断する具体的な手法の一例を規定するものである。【００２７】
第２０の態様に係る薬剤検査支援方法は第１８または第１９の態様において、表示制御工程では、指定された薬種についての表示指示に応じて、指定された薬種の薬剤及び類似薬剤についての一覧表を表示画面に表示させる。第２０の態様によれば、第４の態様と同様に薬剤師は効率的に検査を行うことができる。【００２８】
第２１の態様に係る薬剤検査支援方法は第１７から第２０の態様のいずれか１つにおいて、表示制御工程では、一覧表を表示装置の単一の表示画面に表示させる。第２１の態様によれば、第１６の態様と同様に照合結果の確認が容易である。
【発明の効果】
【００２９】
以上説明したように、本発明の薬剤検査支援装置及び薬剤検査支援方法によれば、薬剤師は薬剤検査作業を効率的に行うことができる。
【図面の簡単な説明】
【００３０】
【図１】図１は、本発明の一実施形態に係る薬剤検査支援装置の構成を示すブロック図である。
【図２】図２は、照明下で分包袋の画像を取得する様子を示す図である。
【図３】図３は、照明下で分包袋の画像を取得する様子を示す他の図である。
【図４】図４は、処理部の機能構成を示す図である。
【図５】図５は、記憶部に記憶される情報を示す図である。
【図６】図６は、第１の一覧表の作成及び表示の処理を示すフローチャートである。
【図７Ａ】図７Ａは、分包袋を上方向及び下方向から撮影して取得した画像を示す図である。
【図７Ｂ】図７Ｂは、分包袋を上方向及び下方向から撮影して取得した画像を示す図である。
【図８】図８は、薬剤のマスタ画像及び属性情報を示す図である。
【図９】図９は、第１の一覧表を表示した様子を示す図である。
【図１０】図１０は、第１の一覧表を表示した様子を示す他の図である。
【図１１】図１１は、フォーマットの異なる第１の一覧表を表示した様子を示す図である。
【図１２】図１２は、検査支援情報を省略して第１の一覧表を表示した様子を示す図である。
【図１３】図１３は、検査支援情報を省略して第１の一覧表を表示した様子を他の示す図である。
【図１４】図１４は、検査支援情報の表示例を示す図である。
【図１５】図１５は、照合エラーが発生している様子を示す図である。
【図１６】図１６は、第１の一覧表に薬剤の表及び裏を示す画像を表示した様子を示す図である。
【図１７】図１７は、第１の一覧表をスクロールさせて表示する様子を示す図である。
【図１８】図１８は、類似薬剤についての一覧表を表示する場合の処理を示すフローチャートである。
【図１９】図１９は、類似薬剤の判定処理を示すフローチャートである。
【図２０Ａ】図２０Ａは、指定された薬剤及び類似薬剤について一覧表を表示した様子を示す図である。
【図２０Ｂ】図２０Ｂは、指定された薬剤及び類似薬剤について一覧表を表示した様子を示す図である。
【図２１Ａ】図２１Ａは、指定された薬剤及び類似薬剤について一覧表を表示した様子を示す他の図である。
【図２１Ｂ】図２１Ｂは、指定された薬剤及び類似薬剤について一覧表を表示した様子を示す他の図である。
【図２２】図２２は、薬剤選択画面の例を示す図である。
【図２３Ａ】図２３Ａは、薬剤どうしの類似関係を示す図である。
【図２３Ｂ】図２３Ｂは、薬剤どうしの類似関係を示す図である。
【図２４】図２４は、類似薬剤のテーブルを示す図である。
【発明を実施するための形態】
【００３１】
以下、添付図面を参照しつつ、本発明に係る薬剤検査支援装置及び薬剤検査支援方法の実施形態について、詳細に説明する。
【００３２】
＜第１の実施形態＞
図１は、本発明の一実施形態に係る薬剤検査支援装置１の構成を示す図である。薬剤検査支援装置１は処理部１０と、記憶部２０と、表示部３０と、操作部４０と、搬送機構５０と、を備え、処理部１０には照明部１２，カメラ１５Ａ，カメラ１５Ｂ，及び処方箋リーダ１６が接続されている。
【００３３】
カメラ１５Ａ及びカメラ１５Ｂはデジタルカメラにより構成される。図２に示すように、分包袋ＴＰ（薬包）が連続して構成される薬包帯ＰＢの上側（図２の＋Ｚ側）にカメラ１５Ａが配置され、薬包帯ＰＢの下側（図２の−Ｚ側）にカメラ１５Ｂが配置されて、分包袋ＴＰに分包された薬剤を上下（複数の異なる方向）から撮影する。分包袋ＴＰ（薬包帯ＰＢ）は搬送機構５０により図２の＋Ｘ方向（薬包帯ＰＢの長手方向に沿った軸；図２の矢印方向）に搬送され、撮影の際には照明部１２が有する複数の光源１３が４方向から分包袋ＴＰを照明する。図３において、複数の光源１３のそれぞれとカメラ１５Ａ、１５Ｂの撮影光軸ＰＡとの間隔（ｄ１、ｄ２、ｄ３、ｄ４）は同じである。つまり、複数の光源１３と撮影光軸ＰＡとが等間隔（ｄ１＝ｄ２＝ｄ３＝ｄ４）である。
【００３４】
処方箋リーダ１６は、処方箋情報を読み取る。例えば、処方箋リーダ１６はＯＣＲ（Optical Character Recognition）により、紙に記載された処方箋から患者氏名、処方された薬剤及びその数量等の情報を読み取る。処方された薬剤に関する情報を示すバーコード等が処方箋に記録されている場合は、処方された薬剤及びその数量等の情報をバーコードから読み取ってもよい。また、ユーザが処方箋を読み取り、操作部４０が有するキーボード等の入力デバイスにより処方箋情報を入力してもよい。
【００３５】
＜処理部の構成＞
図４は処理部１０の機能構成を示す図である。処理部１０は、処方箋入力部１０Ａと、撮像部１０Ｂ（撮像部）と、薬剤照合部１０Ｃ（薬剤照合部）と、薬剤選択部１０Ｄ（薬剤選択部）と、類似度算出部１０Ｅ（類似度算出部）と、一覧表作成部１０Ｆと、表示制御部１０Ｇ（表示制御部）と、通信部１０Ｈと、を備える。これらの機能は、ＣＰＵ（Central Processing Unit）、各種電子回路等のデバイスが、ＥＥＰＲＯＭ（Electronically Erasable and Programmable Read Only Memory：非一時的記録媒体）等に記憶されたデータを参照して実現される。また、これらの機能はＲＯＭ（Read Only Memory：非一時的記録媒体）等に記憶された薬剤検査支援プログラムを実行することにより行われる。処理の際には、ＲＡＭ（Random Access Memory）等が一時記憶領域、作業領域として用いられる。なお図４ではこれらデバイスの図示は省略する。
【００３６】
処方箋入力部１０Ａは、処方箋リーダ１６を制御して処方箋に記載された情報を読み取る。撮像部１０Ｂは、カメラ１５Ａ及びカメラ１５Ｂを制御して、分包袋ＴＰに分包された薬剤の画像を取得する。薬剤照合部１０Ｃは、照合対象画像が示す薬剤と基準画像が示す薬剤とが同一の薬剤であるか否か判断する。薬剤選択部１０Ｄは、操作部４０を介してユーザによる薬剤の選択を受け付ける。類似度算出部１０Ｅは薬剤どうし（例えば、照合対象画像と基準画像）の類似度を算出する。一覧表作成部１０Ｆ（一覧表作成部）は、一覧表を作成する。一覧表には、照合対象画像に応じて検査支援情報を含める。表示制御部１０Ｇは、一覧表、検査支援情報等の表示制御を行う。通信部１０Ｈはネットワークを介して図示せぬサーバ、データベース等と通信し、薬剤のマスタ画像、属性情報等を取得する。これらの機能による薬剤検査支援方法の詳細な処理は後述する。
【００３７】
上述した処理部１０の機能は、各種のプロセッサ（processor）を用いて実現できる。各種のプロセッサには、例えばソフトウェア（プログラム）を実行して各種の機能を実現する汎用的なプロセッサであるＣＰＵ（Central Processing Unit）が含まれる。また、上述した各種のプロセッサには、ＦＰＧＡ（Field Programmable Gate Array）などの製造後に回路構成を変更可能なプロセッサであるプログラマブルロジックデバイス（Programmable Logic Device：ＰＬＤ）も含まれる。さらに、ＡＳＩＣ（Application Specific Integrated Circuit）などの特定の処理を実行させるために専用に設計された回路構成を有するプロセッサである専用電気回路なども上述した各種のプロセッサに含まれる。
【００３８】
各部の機能は１つのプロセッサにより実現されてもよいし、複数のプロセッサを組み合わせて実現されてもよい。また、複数の機能を１つのプロセッサで実現してもよい。複数の機能を１つのプロセッサで構成する例としては、第１に、クライアント、サーバなどのコンピュータに代表されるように、１つ以上のＣＰＵとソフトウェアの組合せで１つのプロセッサを構成し、このプロセッサが複数の機能として実現する形態がある。第２に、システムオンチップ（System On Chip：ＳｏＣ）などに代表されるように、システム全体の機能を１つのＩＣ（Integrated Circuit）チップで実現するプロセッサを使用する形態がある。このように、各種の機能は、ハードウェア的な構造として、上述した各種のプロセッサを１つ以上用いて構成される。また、これらのプロセッサを動作させるため、本発明に係る薬剤検査支援方法を薬剤検査支援装置に実行させるプログラムのコンピュータ読み取り可能なコードが、不図示のＲＯＭ（Read Only Memory）等の非一時的記録媒体に記録される。
【００３９】
＜記憶部の構成＞
記憶部２０はＣＤ（Compact Disk）、ＤＶＤ（Digital Versatile Disk）、ハードディスク（Hard Disk）、各種半導体メモリ等の非一時的記録媒体により構成され、図５に示す画像及び情報を互いに関連づけて記憶する。処方箋情報２０Ａは処方箋リーダ１６を介して読み取った情報であり、患者氏名、薬剤の識別情報及び数量、用法等が含まれる。基準画像２０Ｂはあらかじめ記憶された薬剤のマスタ画像、またはマスタ画像に画像処理を施した処理済みマスタ画像であり、したがって基準画像としてマスタ画像または処理済みマスタ画像が記憶される。照合対象画像２０Ｃは、撮像部１０Ｂ及びカメラ１５Ａ，１５Ｂにより取得した撮影画像、または撮影画像に画像処理を施した処理済み撮影画像（撮影画像に基づく画像）であり、したがって照合対処画像として撮影画像または処理済み撮影画像が記憶される。属性情報２０Ｄは、薬剤の薬剤タイプ、形状、寸法、色、及び刻印等を挙げることができるが、これらに限定されるものではない。類似薬剤情報２０Ｅは、ある薬剤に対する類似薬剤を示す情報である。一覧表２０Ｆは処理部１０（一覧表作成部１０Ｆ）が作成した照合結果の一覧表を示す情報である。検査支援情報２０Ｇ（検査支援情報）は薬剤の照合、検査を効率的に行うための情報であり、一覧表に含まれる照合対象画像が示す薬剤の服用日（何日目の分包袋であるか）、服用タイミング、分包袋番号等を含めることができる。処理部１０による処理の際には、処理部１０と記憶部２０との間で、これらの画像及び情報の読み込み、書き込みが行われる。
【００４０】
＜表示部及び操作部の構成＞
表示部３０（表示装置）はモニタ３２（表示装置）を備えており、処方箋リーダ１６を介して読み取った処方箋情報、分包された薬剤の画像、記憶部２０に記憶された情報及び画像、一覧表、検査支援情報等を表示することができる。操作部４０はマウス等のポインティングデバイス及びキーボード等の入力デバイスを含んでおり、ユーザはモニタ３２に表示された画像、ボタン等を操作部４０により操作することができる。
【００４１】
＜薬剤検査支援方法の処理＞
＜一覧表の作成＞
上述した構成の薬剤検査支援装置１による薬剤検査支援方法の処理（一覧表の作成及び表示）について説明する。図６は薬剤検査支援方法の処理を示すフローチャートである。
【００４２】
ステップＳ１００では、処方箋リーダ１６及び処理部１０（処方箋入力部１０Ａ）により処方箋情報を読み取る。または、記憶部２０に既に記憶されている処方箋情報２０Ａを読み出してもよい。以下では、処方箋の内容が「薬剤Ａを１度に２錠、薬剤Ｂ，Ｃ，Ｄをそれぞれ１度に１錠、１日３度食後に服用する」である（処方箋には複数種類の薬剤が記載されている）ものとして説明する。
【００４３】
ステップＳ１１０では、撮像部１０Ｂがカメラ１５Ａ，１５Ｂを制御して薬包帯ＰＢの分包袋ＴＰに分包された薬剤を複数の方向（上下方向）から撮影し、複数の撮影画像を取得する。図７Ａは分包袋ＴＰを上方向から撮影した画像であり、図７Ｂ部分は同じ分包袋を下方向から撮影した画像である。薬剤は分包袋ＴＰの中で全て同じ向き（表裏及び面内での回転度合い）を向いているとは限らず、図７Ａ及び図７Ｂのように薬剤によって向きが異なる場合がある。処理部１０（薬剤照合部１０Ｃ）は、分包袋ＴＰの画像に対し分包袋を特定するＩＤ（identification）を関連づける。
【００４４】
ステップＳ１２０では、ステップＳ１００で読み取った処方箋情報に含まれる薬剤について、基準画像を取得する。記憶部２０に記憶されたマスタ画像をそのまま取得し基準画像としてもよいし、マスタ画像に対し拡大または縮小、明るさ調整等の画像処理を施して基準画像としてもよい。図８は基準画像の例であり、処方箋に従って調剤されるべき薬剤Ａについて、基準画像としてのマスタ画像を示している。図８の例では、マスタ画像は異なる方向（薬剤Ａの上下方向）から撮影して取得した複数の画像（マスタ画像ｉＭ１，ｉＭ２）を含んでいる。マスタ画像ｉＭ１は薬剤Ａの表面についての画像であり、マスタ画像ｉＭ２は薬剤Ａの裏面についての画像である。
【００４５】
また、図８の例では薬剤Ａの属性を示す属性情報２０Ｄがマスタ画像ｉＭ１，ｉＭ２に関連づけられており、処理部１０（表示制御部１０Ｇ）は、操作部４０を介したユーザの操作に応じて、このようなマスタ画像（または基準画像）及び属性情報をモニタ３２に表示する。
【００４６】
ステップＳ１３０では、撮影画像から各薬剤の薬剤領域を抽出し、必要に応じて拡大または縮小、明るさ調整等の画像処理を施す。他の薬剤についても同様の処理を行い、抽出した薬剤領域の画像またはその画像に画像処理を施した画像（処理済み撮影画像）を照合対象画像として取得する。図７Ａ及び図７Ｂの例では、薬剤Ａについて照合対象画像ｉＳ１，ｉＳ２（複数の撮影画像にそれぞれ対応した複数の照合対象画像）を取得する。照合対象画像ｉＳ１は薬剤Ａの表面についての画像であり、照合対象画像ｉＳ２は薬剤Ａの裏面に対する画像である。処理部１０（薬剤照合部１０Ｃ）は、照合対象画像に対し薬剤を特定するＩＤを関連づける。なお、上述のように撮影画像から照合対象画像を取得するのではなく、記憶部２０に既に記憶されている照合対象画像２０Ｃを読み出してもよい。
【００４７】
基準画像及び照合対象画像を取得したら、処理部１０（薬剤照合部１０Ｃ）は、基準画像と照合対象画像とを照合して（ステップＳ１４０：薬剤照合工程）、照合対象画像が示す薬剤と基準画像が示す薬剤とが同一の薬剤であるか否かを判断する（ステップＳ１５０：薬剤照合工程）。同一の薬剤であると判断した場合は、処理部１０（一覧表作成部１０Ｆ）は照合対象画像を一覧表に追加して（ステップＳ１６０：一覧表作成工程）、ステップＳ１７０に進む。なお、基準画像と照合対象画像との照合は基準画像に設定したテンプレートと照合対象領域に設定した関心領域とが一致するか否か（テンプレートマッチング）、基準画像と照合対象画像の局所特徴量が一致するか否か等により行うことができる。また、照合の際に照合対象画像を拡大または縮小、回転等することにより基準画像と方向を揃えて照合してもよい。
【００４８】
図７Ａ、図７Ｂ及び図８に示す例では、処理部１０（薬剤照合部１０Ｃ）は「照合対象画像ｉＳ１が示す薬剤は基準画像（マスタ画像ｉＭ１）が示す薬剤と同一である（共に薬剤Ａを示す）」と判断し、照合対象画像ｉＳ１を薬剤Ａについての一覧表に追加する。なお、処理部１０（薬剤照合部１０Ｃ、一覧表作成部１０Ｆ）は薬種ごとに一覧表を作成する。
【００４９】
一方、照合の結果「基準画像が示す薬剤と照合対象画像が示す薬剤とは同一の薬剤ではない」と判断された場合（ステップＳ１５０でＮＯ）、処理部１０（薬剤照合部１０Ｃ）は、ステップＳ１７０（薬剤照合工程）において（ある１つの基準画像と）全ての照合対象画像についての照合が終了したか否かを判断する。判断が肯定された場合（ステップＳ１７０でＹＥＳ）はステップＳ１８０に進み、否定された場合（ステップＳ１７０でＮＯ）はステップＳ１３０へ戻り次の照合対象画像を取得して照合（ステップＳ１４０：薬剤照合工程）を行う。
【００５０】
ステップＳ１８０では処方箋に記載された全ての薬剤（分包袋ＴＰに分包されるべき全ての薬剤）について照合が終了したか否かを判断し、判断が肯定されるまでステップＳ１２０〜Ｓ１７０の処理（薬剤照合工程、一覧表作成工程）を繰り返して、判断が肯定されたら（ステップＳ１８０でＹＥＳ）、ステップＳ１９０へ進む。ステップＳ１９０では、処理部１０（薬剤照合部１０Ｃ、一覧表作成部１０Ｆ）は薬包帯ＰＢに含まれる全ての分包袋ＴＰについての処理が完了したか否かを判断し、判断が肯定されるまでステップＳ１１０〜Ｓ１８０の処理（薬剤照合工程、一覧表作成工程）を繰り返して一覧表を作成する。なお、分包袋ＴＰに含まれる薬剤のうち処方箋に記載の薬剤のいずれでもない薬剤がある場合は、一覧表とは別にそのような薬剤のリストを作成してもよい。
【００５１】
＜一覧表の表示＞
処理部１０（表示制御部１０Ｇ）は、処方箋に記載された薬剤のうち単一の薬種の薬剤について、ステップＳ１９０までで作成した一覧表をモニタ３２の表示画面に表示する（ステップＳ２００：表示制御工程）。以下、一覧表の表示例について説明する。
【００５２】
（表示例１）
図９は、薬剤Ａについての一覧表Ｌ１（一覧表）の例を示す図である。表示例１では、一覧表Ｌ１の左側（領域Ｌ１Ａ，Ｌ１Ｂ）に薬剤Ａの基準画像（この場合マスタ画像）及び属性情報（薬剤の属性を示す情報）がそれぞれ表示され、右側（領域Ｌ１Ｃ）に「薬剤Ａを示す」と判別された全ての照合対象画像が表示される。図９では一覧表Ｌ１に薬剤の表面（刻印が施されている面）についての画像（例えば、上述した照合対象画像ｉＳ１）のみを含めているが、薬剤の裏面についての画像（例えば、上述した照合対象画像ｉＳ２）を含めてもよい（表示例７の図１６を参照）。一覧表Ｌ１の領域Ｌ１Ｃには、照合対象が分包袋ごと、かつ服用タイミングごとに表示され、また分包袋ＴＰに関連する検査支援情報（薬剤の照合、検査を効率的に行うための情報）が照合対象画像と合わせて表示される。図９の例では、検査支援情報は服用タイミング、分包袋番号、服用日であるが、他の情報（基準画像と照合対象画像の類似度等）を含めてもよい。なお、表示例１においては全ての分包袋（１日３度服用×７日＝２１包）に薬剤Ａが２錠ずつ正しく分包されているものとし、服用期間は７日とする。
【００５３】
一覧表Ｌ１において、基準画像及び照合対象画像は、処理部１０（一覧表作成部１０Ｆ）が画像を拡大または縮小、及び回転することにより大きさ及び向きを揃えて表示される。下部の領域Ｌ１Ｄには、前の薬剤（この場合、薬剤Ｄ）について一覧表を表示させるためのボタンＢ１、次の薬剤（この場合、薬剤Ｂ）について一覧表を表示させるためのボタンＢ２、及び表示条件等の設定を行うメニュー画面に移行するためのボタンＢ３が表示されている。ユーザは操作部４０を介したユーザ操作によりこれらのボタンＢ１〜Ｂ３を操作することができる。なお、一覧表の作成及び表示の対象となる薬剤をあらかじめユーザに選択させてもよい（後述する図２２を参照）。このようなボタン操作及び／または薬剤選択画面での操作により処理部１０（薬剤選択部１０Ｄ）が薬剤の選択（一覧表の表示指示）を受け付け、選択を受け付けた薬剤について処理部１０（表示制御部１０Ｇ）が一覧表を表示させる。なお、以下で説明する他の表示例においても、同様の領域及びボタンが設けられる（参照符号及び説明は省略する）。
【００５４】
表示例１によれば、単一の薬種である薬剤Ａについて、基準画像、「基準画像が示す薬剤と同一の薬剤（薬剤Ａ）を示す」と判断された全ての照合対象画像、及び検査支援情報を含む一覧表Ｌ１（一覧表）がモニタ３２の単一の表示画面に表示される。したがって、分包袋の数が多い場合（薬剤の数が多い場合）でも画面をスクロールする必要がなく、ユーザ（薬剤師）が薬剤検査作業を効率的に行うことができる。また、表示例１によれば単一の薬種（薬剤Ａ）についての一覧表Ｌ１が表示装置の単一の表示画面に表示されるので、誤って照合された薬剤を見つけやすく、薬剤師（ユーザ）が薬剤検査を効率的に行うことができる。なお、一覧表Ｌ１は、必要に応じて薬剤の画像を縮小表示する、表示の解像度を表示画面の解像度以下にする、等により単一の画面に表示することができる。
【００５５】
（表示例２）
図１０は、単一の薬種である薬剤Ａについて服用期間が１４日の場合の一覧表Ｌ２（一覧表）を示す。表示例１に比べて服用期間が長く照合対象画像数が多いので、処理部１０（一覧表作成部１０Ｆ）は照合対象画像を縮小して一覧表Ｌ２を作成し、処理部１０（表示制御部１０Ｇ）は一覧表Ｌ２をモニタ３２の単一の表示画面に表示させる。このように、表示例２においても表示例１と同様に単一の表示画面に一覧表Ｌ２が表示されるので、分包袋の数が多い場合（薬剤の数が多い場合）でも画面をスクロールする必要がなく、ユーザ（薬剤師）が薬剤検査作業を効率的に行うことができる。
【００５６】
（表示例３）
＜フォーマットが異なる一覧表の表示＞
図１１は、表示例２と同様に服用期間が１４日の場合について、単一の薬種である薬剤Ａについての一覧表Ｌ３（一覧表）を示す。一覧表Ｌ３では、処理部１０（一覧表作成部１０Ｆ、表示制御部１０Ｇ）により、一覧表Ｌ１，Ｌ２と異なり、領域Ｌ３Ｃの縦方向に服用タイミング（朝食後、昼食後、夕食後）を表示し、横方向に服用日（１日目〜７日目、８日目〜１４日目）をモニタ３２の単一の表示画面に表示させる。薬剤検査支援装置１では、このように分包袋の数、薬剤の数、服用期間等に応じて一覧表のフォーマットを変更することができ、これにより包袋の数が多い場合（薬剤の数が多い場合）でも画面をスクロールする必要がなく、ユーザ（薬剤師）が効率的に薬剤検査作業を行うことができる。
【００５７】
（表示例４，５）
＜照合対象画像の数に応じた検査支援情報量の変化＞
一覧表に含まれる照合対象画像の数が多い場合、表示例２（図１０参照）のように照合対象画像を縮小するのに代えて、照合対象画像の数に応じて一覧表に含める検査支援情報の量を変化させることにより一覧表を単一の表示画面に表示してもよい。例えば図１２に示す一覧表Ｌ４（一覧表；表示例４）では、表示例１，２（図９，１０参照）に含まれる分包袋番号（「薬包Ｎｏ．１」等）を省略している。また、図１３に示す一覧表Ｌ５（一覧表；表示例５）では、分包袋番号に加えて服用タイミング及び日数を省略している。このように、照合対象画像の数に応じて一覧表に含める検査支援情報の量を変化させる（照合対象画像の数が多い場合は、一覧表に含める検査支援情報の量を減らす）ことにより、分包袋の数が多い場合（薬剤の数が多い場合）でも一覧表（薬剤の画像）が見やすくなり、薬剤師は薬剤検査作業を効率的に行うことができる。
【００５８】
＜画像の指定に応じた検査支援情報の表示＞
上述した表示例４，５では「照合対象画像の数が多い場合に、一覧表に含める検査支援情報の量を減らす」態様について説明しているが、そのような態様においてもユーザ（薬剤師）が検査支援情報を確認したい場合がありうる。そこで薬剤検査支援装置１では、処理部１０は照合対象画像（照合対象画像２０Ｃ）と検査支援情報（検査支援情報２０Ｇ）とを関連づけて記憶部２０に記憶しておき、一覧表に含まれる照合対象画像のうち指定された画像についての検査支援情報をモニタ３２に表示させる。例えば、図１３に示す一覧表Ｌ５で照合対象画像を指定（例えば、操作部４０のマウスでクリック等）すると、処理部１０（表示制御部１０Ｇ）は図１４に示すように分包袋のＩＤ等の検査支援情報を表示する。なお検査支援情報は図１４の例に限らず、他の情報（例えば、基準画像と照合対象画像の類似度等）を表示してもよい。このような照合対象画像の指定に応じた検査支援情報の表示により、分包袋の数（薬剤の数）が多く一覧表に表示する検査支援情報を減らした場合でも、どのような画像について「基準画像が示す薬剤と同一である」と判断され一覧表が作成されたのか容易に確認することができる。これにより、ユーザ（薬剤師）は薬剤検査作業を効率的に行うことができる。
【００５９】
（表示例６）
＜照合エラーがある場合の表示例＞
図１５は照合エラーがある場合の一覧表の例を示す図である。図１５に示す一覧表Ｌ６は薬剤Ａについての一覧表なので、正しく分包されていれば全ての照合対象画像が薬剤Ａになるはずであるが、３錠目の照合対象画像ｉＳ３（薬剤Ｂ）が誤って薬剤Ａと判定されている。このような照合エラーが発生している場合でも、マスタ画像、基準画像、あるいは他の照合対象画像と比較することにより照合エラーであることを容易に把握することができ、ユーザ（薬剤師）は薬剤検査作業を効率的に行うことができる。
【００６０】
（表示例７）
＜裏面の画像を含む一覧表の表示例＞
上述した表示例１〜６では薬剤の表面（刻印が施されている面）についての画像（例えば、薬剤Ａについての照合対象画像ｉＳ１）を一覧表に含める場合について説明したが、薬剤の裏面（刻印が施されていない面）についての画像（例えば、薬剤Ａについての照合対象画像ｉＳ２）を一覧表に含めてもよい。例えば図１６のように、基準画像及び照合対象画像について、表面の画像及び裏面の画像を一覧表Ｌ６（薬剤Ｂについての一覧表）に含めてもよい。このように一覧表に表面の画像のみを含めるか、表面及び裏面の画像を含めるかは操作部４０を介したユーザ指示により決定してもよいし、一覧表が単一の表示画面に収まるか否かに応じて処理部１０（一覧表作成部１０Ｆ、表示制御部１０Ｇ）が決定してもよい。
【００６１】
（表示例８）
上述した表示例１〜７では一覧表を単一の表示画面に表示してスクロールを不要にしているが、図１７の一覧表Ｌ７のように一覧表にボタンＭａ，ボタンＭｂ、及びスライドバーＭｃを設け、ユーザの操作に応じて処理部１０（表示制御部１０Ｇ）が一覧表Ｌ７をスクロール（表示する期間を上下に移動）させて表示してもよい。このような表示形態においても単一の薬種の薬剤についての一覧表が表示されるので、誤って照合された薬剤を見つけやすく、薬剤師（ユーザ）が薬剤検査を効率的に行うことができる。また、一覧表の表示領域を大きくできるので画像の縮小等をしなくても一覧表を表示することができる。
【００６２】
＜類似薬剤についての一覧表の作成＞
上述した構成の薬剤検査支援装置１により、単一の薬種の薬剤についての一覧表に加えて類似薬剤についての一覧表を表示する場合の処理について説明する。類似薬剤についての一覧表は、例えば処方箋入力時に図２２のような薬剤選択画面を表示してユーザが「類似薬剤を表示」をチェックした場合に表示してもよいし、薬剤検査支援装置１がユーザの操作によらずに表示してもよい。
【００６３】
図１８は単一の薬種の薬剤についての一覧表に加えて類似薬剤についての一覧表を表示する場合の処理を示すフローチャートである。なお、ステップＳ１９０までは図６のフローチャートと同様なので図６を参照し、これらステップについては図１８での図示及び詳細な説明を省略する。
【００６４】
ステップＳ１９０の判断が肯定される（全薬包について照合が終了する）と、処理部１０（薬剤照合部１０Ｃ、類似度算出部１０Ｅ）はステップＳ２１０で類似薬剤を判定する（薬剤照合工程、類似度算出工程）。ステップＳ２１０の詳細は後述する。
【００６５】
ステップＳ２２０では、処理部１０は一覧表を表示する薬剤（単一の薬種の薬剤）を指定する。この指定は薬剤選択部１０Ｄが操作部４０を介したユーザの薬剤選択操作に応じて行ってもよいし、表示制御部１０Ｇが処方箋に記載された薬剤のうちいずれか（例えば、最初に記載された薬剤）を選択することで行ってもよい。表示する薬種が指定されたら、処理部１０（表示制御部１０Ｇ）は、指定された薬剤と類似する類似薬剤が存在するか否かを判断し（ステップＳ２３０：表示制御工程）、判断が肯定されたら指定された薬種の薬剤及び類似薬剤についての一覧表をモニタ３２の単一の表示画面に表示する（ステップＳ２４０：表示制御工程）。一方、ステップＳ２３０の判断が否定された場合は指定された薬種の薬剤についての一覧表をモニタ３２の単一の表示画面に表示する（ステップＳ２５０：表示制御工程）。ステップＳ２６０（表示制御工程）では、処理部１０（表示制御部１０Ｇ）は一覧表の表示を終了するか否か判断し、終了が指示された場合（例えば、ユーザが操作部４０により終了ボタンをクリックした場合）は判断を肯定して処理を終了し、一方他の薬剤についての一覧表の表示が指定されたら判断を否定してステップＳ２２０へ戻る。ステップＳ２４０における一覧表の表示例については後述する（ステップＳ２５０での表示は、指定薬種の薬剤についての一覧表の表示なので、上述した表示例１〜８と同様である）。
【００６６】
図１９は、図１８のステップＳ２１０（薬剤照合工程、類似度算出工程）における類似薬剤の判定処理を示すフローチャートである。処理部１０（薬剤選択部１０Ｄ、類似度算出部１０Ｅ）は判定対象薬剤を設定し（ステップＳ２１１）、設定した判定対象薬剤について他の薬剤との類似度を算出する（ステップＳ２１２）。例えば、ステップＳ２１１で薬剤Ａを判定対象薬剤として設定し、ステップＳ２１１で他の薬剤Ｂとの類似度を算出する。ステップＳ２１２では、例えば薬剤Ａのマスタ画像と薬剤Ｂのマスタ画像との類似度を算出することができる。処理部１０（類似度算出部１０Ｅ）は算出した類似度がしきい値以上であるか否かを判断し（ステップＳ２１３）、判断が肯定された場合は類似薬剤であると判断する（ステップＳ２１４）。なお、ステップＳ２１１において、類似度算出部１０Ｅはマスタ画像どうしの類似度を算出するのではなく、マスタ画像と照合対象画像との類似度、あるいは照合対象画像どうしの類似度を算出してもよい。
【００６７】
処理部１０（類似度算出部１０Ｅ）は、ステップＳ２１２で算出した類似度を類似薬剤情報２０Ｅとして記憶部２０に記憶する（ステップＳ２１５）。類似薬剤情報２０Ｅは、例えば図２３Ａに示すテーブル形式で記憶することができる。また、このテーブルの数値に対してしきい値を適用して、薬剤どうしの関係を「同一、類似、非類似」のいずれかに分類してもよい。図２３Ｂは、図２３Ａに示す類似度に対してしきい値を０．８として、類似度が１．０の薬剤を「同一」、０．８以上の薬剤を「類似」、０．８未満の薬剤を「非類似（類似でない）」と判断した場合のテーブルを示す図である。上述した例では、薬剤Ａと薬剤Ｂの類似度は０．６であり、両者は非類似の薬剤となる。また、図２３Ａ及び図２３Ｂのテーブルに代えて、あるいはこれに加えて、図２４のようにある薬剤に対する類似薬剤の情報のみが含まれたテーブルを記憶してもよい。また、図２３Ａから図２４に示すテーブルを新たに作成するのではなく、記憶部２０に既に記憶されているテーブルを更新してもよい。
【００６８】
処理部１０（薬剤選択部１０Ｄ、類似度算出部１０Ｅ）は、１つの判定対象薬剤と他の全ての薬剤（例えば、薬剤Ａと他の薬剤Ｂ，Ｃ，Ｄ）との判定を終了したか否か判断する（ステップＳ２１６）。判断が肯定されたら全ての薬剤（薬剤Ａ〜Ｄ）について判定が終了したか否か判断して（ステップＳ２１７）、判断が肯定されるまでステップＳ２１１〜Ｓ２１６の処理を繰り返す。ステップＳ２１６の判断が肯定されたら図１８のフローチャートに戻ってステップＳ２２０に進む。
【００６９】
＜一覧表の表示例＞
（表示例９）
図１８のステップＳ２４０における一覧表の表示例について説明する。図２０Ａ及び図２０Ｂは指定された薬剤及び類似薬剤についての一覧表の表示例を示す図である。図２０Ａは、薬剤Ｂについての一覧表Ｌ８Ａ（一覧表）及び薬剤Ｂの類似薬剤である薬剤Ｄ（図２３Ａから図２４を参照）についての一覧表Ｌ８Ｂ（一覧表）を含む一覧表Ｌ８（一覧表）を示す。また、図２０Ｂは、一覧表Ｌ８において薬剤の照合エラーが発生している状態（一覧表Ｌ８Ａにおいて、照合対象画像ｉＳ４により示される薬剤Ｄが薬剤Ｂと判断されており、逆に一覧表Ｌ８Ｂにおいて、照合対象画像ｉＳ５により示される薬剤Ｂが薬剤Ｄと判断されている）を示している。このように照合エラーにより類似薬剤間（薬剤Ｂと薬剤Ｄ）が入れ替わっている場合でも、薬剤Ｂについての一覧表Ｌ８Ａと共に類似薬剤である薬剤Ｄについての一覧表Ｌ８Ｂを表示することにより、ユーザ（薬剤師）は照合の間違いに容易に気づくことができる。また、一覧表Ｌ８Ａ，Ｌ８Ｂは単一の表示画面に表示されるので、薬剤の数が多い場合でも画面をスクロールする必要がない。したがってユーザは薬剤検査作業を効率的に行うことができる。なお、一覧表Ｌ８は、必要に応じて薬剤の画像を縮小表示する、表示の解像度を表示画面の解像度以下にする、等により単一の画面に表示することができる。
【００７０】
なお、例えば図９に示す一覧表Ｌ１の表示と同様に、ボタン（図９ではボタンＢ１，Ｂ２）の操作及び／または薬剤選択画面（図２２参照）での操作により処理部１０（薬剤選択部１０Ｄ）が薬剤の選択（一覧表の表示指示）を受け付け、選択を受け付けた薬剤について処理部１０（表示制御部１０Ｇ）が一覧表をモニタ３２に表示させる。
【００７１】
（表示例１０）
図２１は、指定された薬剤及び類似薬剤についての一覧表の他の表示例を示す図である。図２０Ａ及び図２０Ｂでは一覧表Ｌ８において一覧表Ｌ８Ａと一覧表Ｌ８Ｂとを独立した領域に表示しているが、図２１Ａ及び図２１Ｂではこれら一覧表を１つの領域に表示（モニタ３２の単一の表示画面に表示）している。具体的には、図２１Ａに示すように一覧表Ｌ９（一覧表）の同一の領域Ｌ９Ａにおいて薬剤Ｂの画像と薬剤Ｄの画像（同一の分包袋ＴＰに含まれる薬剤どうし）とを上下に並べて表示している。また、図２１Ｂは図２０Ｂに示すのと同様の照合エラーが発生している状態を示している。図２１Ａ及び図２１Ｂのような表示によっても、ユーザ（薬剤師）は照合の間違いに容易に気づくことができ、薬剤検査作業を効率的に行うことができる。なお、一覧表Ｌ９も一覧表Ｌ８と同様にしてモニタ３２の単一の表示画面に表示することができる。
【００７２】
図２０Ａから図２１Ｂのように指定された薬剤及び類似薬剤についての一覧表を表示する場合においても照合対象画像の数に応じて画像を拡大または縮小してよく、また照合対象画像の数に応じて一覧表に含める検査支援情報の量を変化（例えば、図１２，図１３に示すように照合対象画像の数が多い場合は検査支援情報の量を減らす）させてよい。また、図１４と同様に、一覧表に含まれる画像の指定に応じて検査支援情報を表示してもよい。一覧表をこのように表示することで、分包袋の数が多い場合（薬剤の数が多い場合）でも一覧表（薬剤の画像）が見やすくなり、薬剤師は薬剤検査作業を効率的に行うことができる。
【００７３】
図２０Ａから図２１Ｂのように指定された薬剤及び類似薬剤についての一覧表を表示する場合においても、図１７について上述したのと同様に一覧表をスクロール（表示する期間を上下に移動）させて表示してもよい。このような表示形態においても単一の薬種の薬剤についての一覧表が表示されるので、誤って照合された薬剤を見つけやすく、薬剤師（ユーザ）が薬剤検査を効率的に行うことができる。また、一覧表の表示領域を大きくできるので画像の縮小等をしなくても一覧表を表示することができる。
【００７４】
以上で本発明の実施形態及び例に関して説明してきたが、本発明は上述した態様に限定されず、本発明の精神を逸脱しない範囲で種々の変形が可能である。
【符号の説明】
【００７５】
１      薬剤検査支援装置
１０    処理部
１０Ａ  処方箋入力部
１０Ｂ  撮像部
１０Ｃ  薬剤照合部
１０Ｄ  薬剤選択部
１０Ｅ  類似度算出部
１０Ｆ  一覧表作成部
１０Ｇ  表示制御部
１０Ｈ  通信部
１２    照明部
１３    光源
１５Ａ  カメラ
１５Ｂ  カメラ
１６    処方箋リーダ
２０    記憶部
２０Ａ  処方箋情報
２０Ｂ  基準画像
２０Ｃ  照合対象画像
２０Ｄ  属性情報
２０Ｅ  類似薬剤情報
２０Ｆ  一覧表
２０Ｇ  検査支援情報
３０    表示部
３２    モニタ
４０    操作部
５０    搬送機構
Ａ      薬剤
Ｂ      薬剤
Ｂ１    ボタン
Ｂ２    ボタン
Ｂ３    ボタン
Ｃ      薬剤
Ｄ      薬剤
Ｌ１    一覧表
Ｌ１Ａ  領域
Ｌ１Ｂ  領域
Ｌ１Ｃ  領域
Ｌ１Ｄ  領域
Ｌ２    一覧表
Ｌ３    一覧表
Ｌ３Ｃ  領域
Ｌ４    一覧表
Ｌ５    一覧表
Ｌ６    一覧表
Ｌ７    一覧表
Ｌ７Ａ  一覧表
Ｌ７Ｂ  一覧表
Ｌ８    一覧表
Ｌ８Ａ  一覧表
Ｌ８Ｂ  一覧表
Ｌ９    一覧表
Ｌ９Ａ  領域
ＰＡ    撮影光軸
ＰＢ    薬包帯
Ｓ１００〜Ｓ２６０  薬剤検査支援方法の各ステップ
ＴＰ    分包袋
ｉＭ１  マスタ画像
ｉＭ２  マスタ画像
ｉＳ１  照合対象画像
ｉＳ２  照合対象画像
ｉＳ３  照合対象画像
ｉＳ４  照合対象画像
ｉＳ５  照合対象画像
【図１】
2018221065.tif 000003
【図２】
2018221065.tif 000004
【図３】
2018221065.tif 000005
【図４】
2018221065.tif 000006
【図５】
2018221065.tif 000007
【図６】
2018221065.tif 000008
【図７Ａ】
2018221065.tif 000009
【図７Ｂ】
2018221065.tif 000010
【図８】
2018221065.tif 000011
【図９】
2018221065.tif 000012
【図１０】
2018221065.tif 000013
【図１１】
2018221065.tif 000014
【図１２】
2018221065.tif 000015
【図１３】
2018221065.tif 000016
【図１４】
2018221065.tif 000017
【図１５】
2018221065.tif 000018
【図１６】
2018221065.tif 000019
【図１７】
2018221065.tif 000020
【図１８】
2018221065.tif 000021
【図１９】
2018221065.tif 000022
【図２０Ａ】
2018221065.tif 000023
【図２０Ｂ】
2018221065.tif 000024
【図２１Ａ】
2018221065.tif 000025
【図２１Ｂ】
2018221065.tif 000026
【図２２】
2018221065.tif 000027
【図２３Ａ】
2018221065.tif 000028
【図２３Ｂ】
2018221065.tif 000029
【図２４】
2018221065.tif 000030
【手続補正書】
【提出日】令和1年10月28日(2019.10.28)
【手続補正１】
【補正対象書類名】明細書
【補正対象項目名】０００９
【補正方法】変更
【補正の内容】
【０００９】
第２の態様に係る薬剤検査支援装置は第１の態様において、表示制御部は、単一の薬種の薬剤と類似する類似薬剤についての一覧表を表示画面に表示させる。第２の態様では、類似薬剤についての一覧表をも表示画面に表示するので、誤って判別された類似薬剤間で画像が入れ替わってしまった場合でも、薬剤師は照合の間違いに容易に気づくことができる。
【手続補正２】
【補正対象書類名】明細書
【補正対象項目名】００２５
【補正方法】変更
【補正の内容】
【００２５】
第１８の態様に係る薬剤検査支援方法は第１７の態様において、薬剤検査支援装置は、表示制御工程において単一の薬種の薬剤と類似する類似薬剤についての一覧表を表示画面に表示させる。第１８の態様によれば、第２の態様と同様に、誤って判別された類似薬剤の画像が入れ替わってしまった場合でも薬剤師は照合の間違いに容易に気づくことができる。
【手続補正３】
【補正対象書類名】明細書
【補正対象項目名】００６６
【補正方法】変更
【補正の内容】
【００６６】
図１９は、図１８のステップＳ２１０（薬剤照合工程、類似度算出工程）における類似薬剤の判定処理を示すフローチャートである。処理部１０（薬剤選択部１０Ｄ、類似度算出部１０Ｅ）は判定対象薬剤を設定し（ステップＳ２１１）、設定した判定対象薬剤について他の薬剤との類似度を算出する（ステップＳ２１２）。例えば、ステップＳ２１１で薬剤Ａを判定対象薬剤として設定し、ステップＳ２１２で他の薬剤Ｂとの類似度を算出する。ステップＳ２１２では、例えば薬剤Ａのマスタ画像と薬剤Ｂのマスタ画像との類似度を算出することができる。処理部１０（類似度算出部１０Ｅ）は算出した類似度がしきい値以上であるか否かを判断し（ステップＳ２１３）、判断が肯定された場合は類似薬剤であると判断する（ステップＳ２１４）。なお、ステップＳ２１２において、類似度算出部１０Ｅはマスタ画像どうしの類似度を算出するのではなく、マスタ画像と照合対象画像との類似度、あるいは照合対象画像どうしの類似度を算出してもよい。
【手続補正４】
【補正対象書類名】明細書
【補正対象項目名】００７１
【補正方法】変更
【補正の内容】
【００７１】
（表示例１０） 
図２１Ａ及び図２１Ｂは、指定された薬剤及び類似薬剤についての一覧表の他の表示例を示す図である。図２０Ａ及び図２０Ｂでは一覧表Ｌ８において一覧表Ｌ８Ａと一覧表Ｌ８Ｂとを独立した領域に表示しているが、図２１Ａ及び図２１Ｂではこれら一覧表を１つの領域に表示（モニタ３２の単一の表示画面に表示）している。具体的には、図２１Ａに示すように一覧表Ｌ９（一覧表）の同一の領域Ｌ９Ａにおいて薬剤Ｂの画像と薬剤Ｄの画像（同一の分包袋ＴＰに含まれる薬剤どうし）とを上下に並べて表示している。また、図２１Ｂは図２０Ｂに示すのと同様の照合エラーが発生している状態を示している。図２１Ａ及び図２１Ｂのような表示によっても、ユーザ（薬剤師）は照合の間違いに容易に気づくことができ、薬剤検査作業を効率的に行うことができる。なお、一覧表Ｌ９も一覧表Ｌ８と同様にしてモニタ３２の単一の表示画面に表示することができる。
【国際調査報告】
2018221065.tif 000031
2018221065.tif 000032